(57)【要約】      （修正有）【課題】従来よりも適切かつ容易にタッチパネルのタッチ感度モードを設定する。【解決手段】静電容量式のタッチパネル３２１のタッチ感度モードを設定するリスト端末装置１は、撮影画像を取得するカメラ３６と、カメラ３６により取得された撮影画像に基づいて、ユーザの手が手袋装着状態と、手袋非装着状態との何れの状態であるかを判断するＣＰＵ３８とを備える。ＣＰＵ３８は、判断結果に応じて、タッチパネル３２１のタッチ感度モードを、手袋装着状態に対応するタッチ感度モードと、手袋非装着状態に対応するタッチ感度モードとの何れかに設定する。【選択図】図２
2014182700.tif 000002
【特許請求の範囲】
【請求項１】
静電容量式のタッチパネルのタッチ感度モードを設定するタッチパネル制御装置において、
前記タッチパネルの外部における外部情報を取得する外部情報取得手段と、
前記外部情報取得手段により取得された前記外部情報に基づいて、ユーザの手が手袋装着状態と、手袋非装着状態との何れの状態であるかを判断する手袋有無判断手段と、
前記手袋有無判断手段による判断結果に応じて、前記タッチパネルのタッチ感度モードを、手袋装着状態に対応するタッチ感度モードと、手袋非装着状態に対応するタッチ感度モードとの何れかに設定するタッチ感度モード設定手段と、
を備えることを特徴とするタッチパネル制御装置。
【請求項２】
請求項１記載のタッチパネル制御装置において、
前記外部情報は、
ユーザの手の撮影画像であることを特徴とするタッチパネル制御装置。
【請求項３】
請求項２記載のタッチパネル制御装置において、
前記外部情報取得手段は、
他の機器との通信により前記撮影画像を取得する撮影画像受信手段を有することを特徴とするタッチパネル制御装置。
【請求項４】
請求項２または３記載のタッチパネル制御装置において、
前記撮影画像と、当該撮影画像が取得されたときにユーザの手が手袋装着状態及び手袋非装着状態の何れの状態であったかを示す手袋有無情報と、を対応付けて記憶する撮影画像・手袋有無情報記憶手段を備え、
前記手袋有無判断手段は、
前記撮影画像・手袋有無情報記憶手段に記憶された手袋有無情報を参照しつつ、当該手袋有無情報に対応付けられた前記撮影画像と、前記外部情報取得手段により新たに取得された前記撮影画像とを比較することで、ユーザの手が手袋装着状態と、手袋非装着状態との何れの状態であるかを判断する撮影画像利用・手袋有無判断手段と、
前記新たに取得された撮影画像と、前記撮影画像利用・手袋有無判断手段による判断結果に応じた手袋有無情報とを対応付けて前記撮影画像・手袋有無情報記憶手段に記憶させる撮影画像・手袋有無情報記憶制御手段と、
を有し、
当該タッチパネル制御装置は、
前記撮影画像・手袋有無情報記憶手段により記憶された手袋有無情報の内容を、ユーザ操作に基づいて変更する手袋有無情報変更手段を備えることを特徴とするタッチパネル制御装置。
【請求項５】
請求項１記載のタッチパネル制御装置において、
前記外部情報は、
当該タッチパネル制御装置の位置する地域の気候情報と、
当該タッチパネル制御装置が屋内外の何れに位置するかを示す屋内外情報と
の何れか一方であることを特徴とするタッチパネル制御装置。
【請求項６】
請求項５記載のタッチパネル制御装置において、
前記外部情報は、
当該タッチパネル制御装置の位置する地域の気候情報であり、
前記外部情報取得手段は、
他の機器との通信により前記気候情報を取得する気候情報受信手段を有することを特徴とするタッチパネル制御装置。
【請求項７】
請求項５記載のタッチパネル制御装置において、
前記外部情報は、
当該タッチパネル制御装置の位置する地域の気候情報であり、
前記外部情報取得手段は、
当該タッチパネル制御装置の外気温を前記気候情報として測定する温度測定手段を有することを特徴とするタッチパネル制御装置。
【請求項８】
請求項６または７記載のタッチパネル制御装置において、
前記気候情報と、当該気候情報が取得されたときにユーザの手が手袋装着状態及び手袋非装着状態の何れの状態であったかを示す手袋有無情報と、を対応付けて記憶する気候情報・手袋有無情報記憶手段を備え、
前記手袋有無判断手段は、
前記気候情報・手袋有無情報記憶手段に記憶された手袋有無情報を参照しつつ、当該手袋有無情報に対応付けられた前記気候情報と、前記外部情報取得手段により新たに取得された前記気候情報とを比較することで、ユーザの手が手袋装着状態と、手袋非装着状態との何れの状態であるかを判断する気候情報利用・手袋有無判断手段と、
前記新たに取得された気候情報と、前記気候情報利用・手袋有無判断手段による判断結果に応じた手袋有無情報とを対応付けて前記気候情報・手袋有無情報記憶手段に記憶させる気候情報・手袋有無情報記憶制御手段と、
を有し、
当該タッチパネル制御装置は、
前記気候情報・手袋有無情報記憶手段により記憶された手袋有無情報の内容を、ユーザ操作に基づいて変更する手袋有無情報変更手段を備えることを特徴とするタッチパネル制御装置。
【請求項９】
請求項１〜８の何れか一項に記載のタッチパネル制御装置と、
前記タッチパネルとを備えることを特徴とする電子機器。
【請求項１０】
静電容量式のタッチパネルのタッチ感度モードを設定するタッチパネル制御方法において、
前記タッチパネルの外部における外部情報を取得する外部情報取得ステップと、
前記外部情報取得ステップにより取得された前記外部情報に基づいて、ユーザの手が手袋装着状態と、手袋非装着状態との何れの状態であるかを判断する手袋有無判断ステップと、
前記手袋有無判断ステップによる判断結果に応じて、前記タッチパネルのタッチ感度モードを、手袋装着状態に対応するタッチ感度モードと、手袋非装着状態に対応するタッチ感度モードとの何れかに設定するタッチ感度モード設定ステップと、
を含むことを特徴とするタッチパネル制御方法。
【請求項１１】
静電容量式のタッチパネルを有するコンピュータに、
前記タッチパネルの外部における外部情報を取得する外部情報取得機能と、
前記外部情報取得機能により取得された前記外部情報に基づいて、ユーザの手が手袋装着状態と、手袋非装着状態との何れの状態であるかを判断する手袋有無判断機能と、
前記手袋有無判断機能による判断結果に応じて、前記タッチパネルのタッチ感度モードを、手袋装着状態に対応するタッチ感度モードと、手袋非装着状態に対応するタッチ感度モードとの何れかに設定するタッチ感度モード設定機能と、
を実現させることを特徴とするタッチパネル制御プログラム。
【発明の詳細な説明】
【技術分野】
【０００１】
本発明は、タッチパネル制御装置、電子機器、タッチパネル制御方法及びタッチパネル制御プログラムに関する。
【背景技術】
【０００２】
従来、スマートフォン等の情報端末では、静電容量式のタッチパネルが入力手段として搭載されている。このタッチパネルでは、画面に指でタッチしたときに発生する微弱な電流、つまり静電容量（電荷）の変化をセンサーで感知し、タッチ位置を把握することで、当該位置に応じた内容の入力を可能としている。
【０００３】
ところで、静電容量式のタッチパネルでは、ユーザの手が手袋の装着状態と、非装着状態との何れであるかによって、タッチ時に発生する電流値が異なる。
そのため、近年、タッチパネルの技術分野においては、感度の異なる複数のタッチ感度モードを予め設けておき、計測された電流値が所定値より低い場合にユーザの手を手袋装着状態と判断してタッチパネルを高感度のタッチ感度モードに設定したり（例えば特許文献１参照）、ユーザ自身による操作に応じてタッチ感度モードを設定したりするようになっている。
【先行技術文献】
【特許文献】
【０００４】
【特許文献１】特許第４４１９９９２号
【発明の概要】
【発明が解決しようとする課題】
【０００５】
しかしながら、電流値の計測によって手袋の有無を調べる従来の技術では、手袋の有無を正しく認識できずに、不適切なタッチ感度モードを設定してしまう場合がある。
また、ユーザ自身による操作に応じてタッチ感度モードを設定する従来の技術では、モードの設定操作に手間がかかってしまう。
【０００６】
本発明の課題は、従来よりも適切かつ容易にタッチパネルのタッチ感度モードを設定することのできるタッチパネル制御装置、電子機器、タッチパネル制御方法及びタッチパネル制御プログラムを提供することである。
【課題を解決するための手段】
【０００７】
以上の課題を解決するため、本発明は、タッチパネル制御装置において、
静電容量式のタッチパネルのタッチ感度モードを設定するタッチパネル制御装置において、
前記タッチパネルの外部における外部情報を取得する外部情報取得手段と、
前記外部情報取得手段により取得された前記外部情報に基づいて、ユーザの手が手袋装着状態と、手袋非装着状態との何れの状態であるかを判断する手袋有無判断手段と、
前記手袋有無判断手段による判断結果に応じて、前記タッチパネルのタッチ感度モードを、手袋装着状態に対応するタッチ感度モードと、手袋非装着状態に対応するタッチ感度モードとの何れかに設定するタッチ感度モード設定手段と、
を備えることを特徴とする。
【発明の効果】
【０００８】
本発明によれば、従来よりも適切かつ容易にタッチパネルのタッチ感度モードを設定することができる。
【図面の簡単な説明】
【０００９】
【図１】（ａ）はリスト端末装置の外観図であり、（ｂ）はタブレットパソコンの外観図である。
【図２】リスト端末装置の機能構成を示すブロック図である。
【図３】タッチパネル感度調整処理の流れを示すフローチャートである。
【図４】カメラ情報取得による手袋有無対応感度処理の流れを示すフローチャートである。
【図５】他カメラ情報取得による手袋有無対応感度処理の流れを示すフローチャートである。
【図６】他の電子機器のカメラによる撮影画像を説明するための図である。
【図７】気候情報取得による手袋有無対応感度処理の流れを示すフローチャートである。
【図８】ＧＰＳシグナル有無情報取得による手袋有無対応感度処理の流れを示すフローチャートである。
【発明を実施するための形態】
【００１０】
以下、添付図面を参照して本発明に係る実施の形態の一例を詳細に説明する。ただし、発明の範囲は、図示例に限定されない。
【００１１】
［構成］
図１（ａ）は、本発明におけるタッチパネル制御装置を適用したリスト端末装置１の外観図である。また、図２は、リスト端末装置１の概略構成を示すブロック図である。
【００１２】
図１（ａ）に示すように、リスト端末装置１は、腕時計状に形成されており、ユーザの手首に装着されるようになっている。このリスト端末装置１は、図２に示すように、表示部３１と、入力部３２と、通信部３３と、気候情報取得センサー３４と、ＧＰＳセンサー３５と、カメラ３６と、記憶部３７と、ＣＰＵ３８等とを備えて構成されている。
【００１３】
表示部３１は、ディスプレイ３１０を備えており、ＣＰＵ３８から入力される表示信号に基づいて各種情報をディスプレイ３１０に表示するようになっている。なお、本実施の形態におけるディスプレイ３１０は、タッチパネル３２１と一体的に形成されており、ユーザによるタッチ操作を受け付け可能となっている。
【００１４】
入力部３２は、キー群３２０や上述のタッチパネル３２１を備えており、押下されたキーの種類やタッチパネル３２１の位置に対応する信号をＣＰＵ３８に出力するようになっている。ここで、本実施の形態においては、タッチパネル３２１は静電容量式であり、タッチ操作に対する感度が可変となっている。
【００１５】
通信部３３は、他の電子機器（例えばサーバやスマートフォンなど）との間での無線通信、ＧＰＳセンサー３５を用いた測位などを行うようになっている。なお、無線通信の方式としては、例えばWi-Fi等の無線ＬＡＮや、Bluetooth（登録商標）などを用いることができる。
【００１６】
気候情報取得センサー３４は、リスト端末装置１の位置する地域の気候情報を取得するセンサーであり、本実施の形態においてはリスト端末装置１の外気温を測定する温度センサーとなっている。なお、この気候情報取得センサー３４により測定された外気温は、記憶部３７に記憶されるようになっている。また、この気候情報取得センサー３４は、気圧センサーや湿度センサーであっても良い。
【００１７】
ＧＰＳセンサー３５は、現在地の位置情報を取得するセンサーであり、通信部３３を介してＧＰＳシステム（図示せず）から信号を受信することで、位置情報を取得するようになっている。なお、このＧＰＳセンサー３５は、ＧＰＳシステムからの受信信号の有無により、現在地が屋内外の何れであるかの情報を取得できるようになっている。
【００１８】
カメラ３６は、静止画像や動画像を撮影するものであり、本実施の形態においては、ディスプレイ３１０（タッチパネル３２１）上に位置する動体（例えばユーザの手）を撮影できるようになっている。
【００１９】
記憶部３７は、リスト端末装置１の各種機能を実現するためのプログラムやデータを記憶するとともに、ＣＰＵ３８の作業領域として機能するメモリである。本実施の形態においては、記憶部３７は、タッチパネル制御プログラム３７１と、タッチ感度モードテーブル３７２と、外部情報・手袋有無情報対応テーブル３７３等とを記憶している。
【００２０】
タッチパネル制御プログラム３７１は、後述のタッチパネル感度調整処理（図３参照）をＣＰＵ３８に実行させるためのプログラムである。
【００２１】
タッチ感度モードテーブル３７２は、タッチパネル３２１でのタッチ操作に対する感度モードの設定内容を複数記憶している。具体的には、本実施の形態におけるタッチ感度モードテーブル３７２は、「手袋有りモード」と、「手袋無しモード」との２つのタッチ感度モードの設定内容を記憶している。ここで、「手袋有りモード」のタッチ感度モードは、高感度のモードであり、ユーザの手が手袋装着状態のときに、タッチ操作を検出できるようになっており、例えば１０μＡの電流の検知で、タッチありと判定する感度モードである。また、「手袋無しモード」のタッチ感度モードは、低感度のモードであり、ユーザの手が手袋非装着状態のときに、タッチ操作を検出できるようになっており、「手袋有りモード」でタッチありと判定される電流値より高い電流値、例えば２０μＡの電流の検知で、タッチありと判定する感度モードである。
【００２２】
外部情報・手袋有無情報対応テーブル３７３は、リスト端末装置１の外部における外部情報と、当該外部情報が取得されたときにユーザの手が手袋装着状態及び手袋非装着状態の何れの状態であったかを示す手袋有無情報とを対応付けて蓄積記憶するようになっている。ここで、本実施の形態においては、外部情報として、撮影画像や気候情報などが用いられている。
【００２３】
ＣＰＵ３８は、リスト端末装置１の各部を中央制御する。具体的には、ＣＰＵ３８は、記憶部３７に記憶されているシステムプログラム及び各種アプリケーションプログラムの中から指定されたプログラムを展開し、展開されたプログラムとの協働で、各種処理を実行する。
【００２４】
［動作］
続いて、リスト端末装置１によって実行されるタッチパネル感度調整処理について、図面を参照しつつ説明する。
【００２５】
図３は、タッチパネル感度調整処理の動作を説明するためのフローチャートである。なお、このタッチパネル感度調整処理は、リスト端末装置１が起動されたり、スタンバイ状態、スリープ状態から復帰したりすると、記憶部３７からタッチパネル制御プログラム３７１が読み出されて適宜展開される結果、当該タッチパネル制御プログラム３７１とＣＰＵ３８との協働によって実行される。
【００２６】
図３に示すように、このタッチパネル感度調整処理においては、まずＣＰＵ３８は、気候情報取得センサー３４によりリスト端末装置１の外気温を測定し、測定された外気温が所定の温度（例えば５℃）以下であるか否かを判定する（ステップＳ１）。なお、リスト端末装置１が気候情報取得センサー３４を有していない場合には、このときＣＰＵ３８は、所定時間（例えば１０分）以内に測定された気候情報を通信部３３によって外部のサーバから取得しても良いし、所定時間（例えば１０分）以内の予報として発表された気候情報を取得しても良い。
【００２７】
このステップＳ１において外気温が所定の温度以下でないと判定した場合（ステップＳ１；Ｎｏ）には、ＣＰＵ３８は、後述のステップＳ５に移行する。
【００２８】
また、ステップＳ１において外気温が所定の温度以下であると判定した場合（ステップＳ１；Ｙｅｓ）には、ＣＰＵ３８は、リスト端末装置１にカメラ３６が内蔵されているか否かを判定する（ステップＳ２）。
【００２９】
このステップＳ２においてカメラ３６が内蔵されていると判定した場合（ステップＳ２；Ｙｅｓ）には、ＣＰＵ３８は、カメラ情報取得による手袋有無対応感度処理を行う（ステップＳ３）。
【００３０】
具体的には、図４に示すように、このカメラ情報取得による手袋有無対応感度処理においてまずＣＰＵ３８は、カメラ３６によってディスプレイ３１０（タッチパネル３２１）上の動体を撮影し、動体の撮影画像を取得したか否かを判定する（ステップＴ１）。なお、このステップＴ１で動体を確実にするためには、ディスプレイ３１０（タッチパネル３２１）への動体の近接を検知する近接センサーをリスト端末装置１に設けておき、この近接センサーによって動体の近接が検知されたタイミングでカメラ３６が撮影を行うこととしても良い。
【００３１】
このステップＴ１において動体の撮影画像を取得しないと判定した場合（ステップＴ１；Ｎｏ）には、ＣＰＵ３８は、当該ステップＴ１を繰り返す。
【００３２】
また、ステップＴ１において動体の撮影画像を取得したと判定した場合（ステップＴ１；Ｙｅｓ）には、ＣＰＵ３８は、撮影画像の内容に基づいて、動体が何であるかを識別し（ステップＴ２）、動体が手袋装着状態の人間の手（指）であるか否かを判定する（ステップＴ３）。
【００３３】
なお、このステップＴ３においてＣＰＵ３８は、手袋の有無を動体の形状から判断しても良いし、動体の色から判断しても良い。動体の形状から手袋の有無を判断する具体的な手法としては、例えば折り曲げられている指の関節部分の形状に基づいて手袋の有無を判断する手法を用いることができる。また、動体の色から手袋の有無を判断する具体的な手法としては、例えば動体の色が手の色であるか否かや、動体に柄があるか否か等に基づいて手袋の有無を判断する手法を用いることができる。
但し、外部情報・手袋有無情報対応テーブル３７３に撮影画像と手袋有無情報とが対応付けて記憶されている場合には、このステップＴ３においてＣＰＵ３８は、外部情報・手袋有無情報対応テーブル３７３に記憶された手袋有無情報を参照しつつ、当該手袋有無情報に対応付けられた撮影画像と、ステップＴ１で新たに取得された撮影画像とを比較することで、動体が手袋装着状態の人間の手であるか否かを判断する。
【００３４】
このステップＴ３において動体が手袋装着状態の人間の手であると判定した場合（ステップＴ３；Ｙｅｓ）には、ＣＰＵ３８は、ユーザの手が手袋装着状態であると判断し、タッチ感度モードテーブル３７２から「手袋有りモード」（高感度モード）の設定内容を読み出して、タッチパネル３２１に対して設定し（ステップＴ４）、カメラ情報取得による手袋有無対応感度処理を終了する。また、このステップＴ４においてＣＰＵ３８は、ステップＴ１で取得したカメラ画像と、判断結果に応じた手袋有無情報（手袋有りの情報）とを対応付けて外部情報・手袋有無情報対応テーブル３７３に記憶させる。
【００３５】
また、上述のステップＴ３において動体が手袋装着状態の人間の手でないと判定した場合（ステップＴ３；Ｎｏ）には、ＣＰＵ３８は、動体が手袋非装着状態の人間の手であるか否かを判定する（ステップＴ５）。
【００３６】
このステップＴ５において動体が手袋非装着状態の人間の手でないと判定した場合（ステップＴ５；Ｎｏ）には、ＣＰＵ３８は、上述のステップＴ１に移行する。
【００３７】
また、ステップＴ５において動体が手袋非装着状態の人間の手であると判定した場合（ステップＴ５；Ｙｅｓ）には、ＣＰＵ３８は、ユーザの手が手袋非装着状態であると判断し、タッチ感度モードテーブル３７２から「手袋無しモード」（低感度モード）の設定内容を読み出して、タッチパネル３２１に対して設定し（ステップＴ６）、カメラ情報取得による手袋有無対応感度処理を終了する。また、このステップＴ６においてＣＰＵ３８は、ステップＴ１で取得したカメラ画像と、判断結果に応じた手袋有無情報（手袋無しの情報）とを対応付けて外部情報・手袋有無情報対応テーブル３７３に記憶させる。
【００３８】
そして、以上のカメラ情報取得による手袋有無対応感度処理（ステップＳ３）が終了したら、図３に示すように、次にＣＰＵ３８は、後述のステップＳ５に移行する。
【００３９】
また、上述のステップＳ２においてリスト端末装置１にカメラ３６が内蔵されていないと判定した場合（ステップＳ２；Ｎｏ）には、ＣＰＵ３８は、カメラを内蔵し、かつ、リスト端末装置１と通信可能な他の電子機器が当該リスト端末装置１の近くにあるか否かを判定する（ステップＳ１１）。
【００４０】
このステップＳ１１において他の電子機器が当該リスト端末装置１の近くにあると判定した場合（ステップＳ１１；Ｙｅｓ）には、ＣＰＵ３８は、当該他の電子機器のカメラがユーザの手を撮影可能であるか否かを判定する（ステップＳ１２）。
【００４１】
このステップＳ１２において他の電子機器のカメラがユーザの手を撮影可能であると判定した場合（ステップＳ１２；Ｙｅｓ）には、ＣＰＵ３８は、他カメラ情報取得による手袋有無対応感度処理を行う（ステップＳ１３）。
【００４２】
具体的には、図５に示すように、この他カメラ情報取得による手袋有無対応感度処理においてまずＣＰＵ３８は、他の電子機器のカメラによる撮影を開始するとともに、通信部３３を介して撮影画像の受信を開始する（ステップＴ１１）。
【００４３】
次に、ＣＰＵ３８は、上述のステップＳ３と同様にして、カメラ情報取得による手袋有無対応感度処理を行った後（ステップＴ１２）、他カメラ情報取得による手袋有無対応感度処理を終了する。但し、このステップＴ１２における他カメラ情報取得による手袋有無対応感度処理においてＣＰＵ３８は、カメラ３６の代わりに他の電子機器のカメラを使用する。この場合には、図６（ａ）に示すようにユーザの手が手袋装着状態であると、図６（ｂ）に示すような撮影画像が他の電子機器（ここではスマートフォン）によって撮影される。また、図６（ｂ）に示すようにユーザの手が手袋装着状態であると、図６（ｄ）に示すような撮影画像が他の電子機器によって撮影される。
【００４４】
そして、以上の他カメラ情報取得による手袋有無対応感度処理（ステップＳ１３）が終了したら、図３に示すように、次にＣＰＵ３８は、後述のステップＳ５に移行する。
【００４５】
また、上述のステップＳ１１において他の電子機器が当該リスト端末装置１の近くにないと判定した場合（ステップＳ１１；Ｎｏ）や、上述のステップＳ１２において他の電子機器のカメラがユーザの手を撮影可能でないと判定した場合（ステップＳ１２；Ｎｏ）には、ＣＰＵ３８は、リスト端末装置１に気候情報取得センサー３４が内蔵されているか否かを判定する（ステップＳ２１）。
【００４６】
このステップＳ２１においてリスト端末装置１に気候情報取得センサー３４が内蔵されていると判定した場合（ステップＳ２１；Ｙｅｓ）には、ＣＰＵ３８は、気候情報取得による手袋有無対応感度処理を行う（ステップＳ２４）。
【００４７】
具体的には、図７に示すように、この気候情報取得による手袋有無対応感度処理においてまずＣＰＵ３８は、現時点から所定時間（例えば１０分）以内に気候情報取得センサー３４によって測定された気候情報（本実施の形態においては外気温）を記憶部３７から取得する（ステップＴ２１）。ここで、このステップＴ２１においてＣＰＵ３８は、気候情報取得センサー３４により測定された気候情報が記憶部３７に存在しない場合には、改めて気候情報取得センサー３４に気候情報を取得させても良いし、所定時間（例えば１０分）以内に測定された気候情報を通信部３３によって外部のサーバから取得しても良いし、所定時間（例えば１０分）以内の予報として発表された気候情報を通信部３３によって外部のサーバから取得しても良い。
【００４８】
次に、ＣＰＵ３８は、取得された外気温が所定の温度（例えば５℃）以下であるか否かを判定する（ステップＴ２２）。
但し、外部情報・手袋有無情報対応テーブル３７３に気候情報と手袋有無情報とが対応付けて記憶されている場合には、このステップＴ２２においてＣＰＵ３８は、外部情報・手袋有無情報対応テーブル３７３に記憶された手袋有無情報を参照しつつ、当該手袋有無情報に対応付けられた気候情報と、ステップＴ２１で新たに取得された気候情報とを比較することで、ユーザの手が手袋装着状態であるか否かを判断する。
【００４９】
そして、このステップＴ２２において外気温が所定の温度以下でないと判定した場合、つまり外気が暖かくユーザの手が手袋非装着状態であろうと判断される場合（ステップＴ２２；Ｎｏ）には、ＣＰＵ３８は、ユーザの手が手袋非装着状態であると判断し、タッチ感度モードテーブル３７２から「手袋無しモード」（低感度モード）の設定内容を読み出して、タッチパネル３２１に対して設定し（ステップＴ２３）、気候情報取得による手袋有無対応感度処理を終了する。また、このステップＴ２３においてＣＰＵ３８は、ステップＴ２１で取得した気候情報と、判断結果に応じた手袋有無情報（手袋無しの情報）とを対応付けて外部情報・手袋有無情報対応テーブル３７３に記憶させる。
【００５０】
また、ステップＴ２２において外気温が所定の温度以下であると判定した場合、つまり外気が寒くユーザの手が手袋装着状態であろうと判断される場合（ステップＴ２２；Ｙｅｓ）には、ＣＰＵ３８は、ユーザの手が手袋装着状態であると判断し、タッチ感度モードテーブル３７２から「手袋有りモード」（高感度モード）の設定内容を読み出して、タッチパネル３２１に対して設定し（ステップＴ２４）、気候情報取得による手袋有無対応感度処理を終了する。また、このステップＴ２４においてＣＰＵ３８は、ステップＴ２１で取得した気候情報と、判断結果に応じた手袋有無情報（手袋有りの情報）とを対応付けて外部情報・手袋有無情報対応テーブル３７３に記憶させる。
【００５１】
そして、以上の気候情報取得による手袋有無対応感度処理（ステップＳ２４）が終了したら、図３に示すように、次にＣＰＵ３８は、後述のステップＳ５に移行する。
【００５２】
また、上述のステップＳ２１においてリスト端末装置１に気候情報取得センサー３４が内蔵されていないと判定した場合（ステップＳ２１；Ｎｏ）には、ＣＰＵ３８は、他の電子機器（例えばサーバやスマートフォンなど）との間で通信可能であるか否かを判定する（ステップＳ２２）。
【００５３】
このステップＳ２２において他の電子機器との間で通信可能であると判定した場合（ステップＳ２２；Ｙｅｓ）には、ＣＰＵ３８は、現在地またはユーザにより予め指定された地点で、現時点から所定時間（例えば１０分）以内に測定された気候情報（本実施の形態においては外気温）、或いは、所定時間（例えば１０分）以内の予報として発表された気候情報を取得できるか否かを判定する（ステップＳ２３）。
【００５４】
このステップＳ２３において現在地などの気候情報を取得できると判定した場合（ステップＳ２３；Ｙｅｓ）には、ＣＰＵ３８は、上述のステップＳ２４に移行する。但し、この場合、ステップＳ２４の気候情報取得による手袋有無対応感度処理においてＣＰＵ３８は、気候情報を他の電子機器から取得する。
【００５５】
また、上述のステップＳ２２において他の電子機器との間で通信可能でないと判定した場合（ステップＳ２２；Ｎｏ）や、上述のステップＳ２３において現在地などの気候情報を取得できないと判定した場合（ステップＳ２３；Ｎｏ）には、ＣＰＵ３８は、リスト端末装置１にＧＰＳセンサー３５が内蔵されているか否かを判定する（ステップＳ３１）。
【００５６】
このステップＳ３１においてＧＰＳセンサー３５が内蔵されていないと判定した場合（ステップＳ３１；Ｎｏ）には、ＣＰＵ３８は他の処理へ移行する一方、内蔵されていると判定した場合（ステップＳ３１；Ｙｅｓ）にはＧＰＳシグナル有無情報取得による手袋有無対応感度処理を行う（ステップＳ３２）。
【００５７】
具体的には、図８に示すように、このＧＰＳシグナル有無情報取得による手袋有無対応感度処理においてまずＣＰＵ３８は、ＧＰＳ信号をロストしたか否かを判定する（ステップＴ３１）。
【００５８】
このステップＴ３１においてＧＰＳ信号をロストしたと判定した場合（ステップＴ３１；Ｙｅｓ）には、ＣＰＵ３８は、ＧＰＳ信号を再捕捉できずに所定の時間が経過したか否かを判定する（ステップＴ３２）。
【００５９】
そして、ステップＴ３２においてＧＰＳ信号を再捕捉できずに所定時間が経過したと判定した場合、つまりユーザが屋内にいてユーザの手が手袋非装着状態であろうと判断される場合（ステップＴ３２；Ｙｅｓ）には、ＣＰＵ３８は、ユーザの手が手袋非装着状態であると判断し、タッチ感度モードテーブル３７２から「手袋無しモード」（低感度モード）の設定内容を読み出して、タッチパネル３２１に対して設定し（ステップＴ３４）、ＧＰＳシグナル有無情報取得による手袋有無対応感度処理を終了する。
【００６０】
また、ステップＴ３１においてＧＰＳ信号をロストしていないと判定した場合（ステップＴ３１；Ｎｏ）や、ステップＴ３２において所定時間が経過する前にＧＰＳ信号を再捕捉できたと判定した場合（ステップＴ３２；Ｎｏ）には、ＣＰＵ３８は、ユーザの手が手袋装着状態であると判断し、タッチ感度モードテーブル３７２から「手袋有りモード」（高感度モード）の設定内容を読み出して、タッチパネル３２１に対して設定し（ステップＴ２４）、ＧＰＳシグナル有無情報取得による手袋有無対応感度処理を終了する。
【００６１】
次に、図３に示すように、ＣＰＵ３８は、キー群３２０を介してタッチ感度モードの変更操作が行われたか否かを判定し（ステップＳ５）、行われないと判定した場合（ステップＳ５；Ｎｏ）にはタッチパネル感度調整処理を終了する。
【００６２】
また、ステップＳ５においてキー群３２０を介してタッチ感度モードの変更操作が行われたと判定した場合（ステップＳ５；Ｙｅｓ）には、ＣＰＵ３８は、ユーザ操作に応じてタッチ感度モードを「手袋無しモード」（低感度モード）と、「手袋有りモード」（高感度モード）との間で切り替えるとともに、外部情報・手袋有無情報対応テーブル３７３により最後に記憶された手袋有無情報の内容（ユーザの手が手袋装着状態及び手袋非装着状態の何れであるか）を、ユーザ操作に基づいて変更し（ステップＳ６）、タッチパネル感度調整処理を終了する。
【００６３】
以上、本実施の形態によれば、図４のステップＴ１〜Ｔ６、図５のステップＴ１１〜Ｔ１２、図７のステップＴ２１〜Ｔ２４、図８のステップＴ３１〜Ｔ３４等に示したように、タッチパネル３２１の外部から取得された外部情報（撮影画像、気候情報、ＧＰＳシグナルの有無情報）に基づいて、ユーザの手が手袋装着状態と、手袋非装着状態との何れの状態であるかが判断され、その判断結果に応じて、タッチパネル３２１のタッチ感度モードが「手袋有りモード」（高感度モード）と、「手袋無しモード」（低感度モード）との何れかに設定されるので、タッチパネル３２１内で生じる電流値の計測によって手袋の有無を調べる従来の場合と異なり、手袋の有無を正しく認識して、適切なタッチ感度モードを設定することができる。また、ユーザ自身による操作に応じてタッチ感度モードを設定する従来の場合と異なり、モードの設定操作に手間がかかってしまうのを防止することができる。従って、従来よりも適切かつ容易にタッチパネル３２１のタッチ感度モードを設定することができる。
【００６４】
また、図５のステップＴ１１〜Ｔ１２等に示したように、他の電子機器との通信により撮影画像が取得されて外部情報として用いられるので、内蔵のカメラ３６によってユーザの手が撮影できない場合であっても、ユーザの手が手袋装着状態と、手袋非装着状態との何れの状態であるかを正しく判断することができる。
【００６５】
また、図３のステップＳ２１〜Ｓ２３等に示したように、他の電子機器との通信により気候情報が取得されて外部情報として用いられるので、内蔵の気候情報取得センサー３４によって気候情報が取得できない場合であっても、ユーザの手が手袋装着状態と、手袋非装着状態との何れの状態であるかを正しく判断することができる。
【００６６】
また、図４のステップＴ４，Ｔ５、図７のステップＴ２３，Ｔ２４等に示したように、撮影画像（または気候情報）と、当該撮影画像（または気候情報）が取得されたときにユーザの手が手袋装着状態及び手袋非装着状態の何れの状態であったかを示す手袋有無情報とが対応付けられて外部情報・手袋有無情報対応テーブル３７３に記憶され、この手袋有無情報が参照されつつ、当該手袋有無情報に対応付けられた撮影画像（または気候情報）と、新たに取得された撮影画像（または気候情報）とが比較されることで、ユーザの手が手袋装着状態と、手袋非装着状態との何れの状態であるかが判断されるので、ユーザの手が手袋装着状態と、手袋非装着状態との何れの状態であるかを、いっそう正しく判断することができる。
また、図３のステップＳ６等に示したように、外部情報・手袋有無情報対応テーブル３７３により記憶された手袋有無情報の内容がユーザ操作により変更されるので、外部情報・手袋有無情報対応テーブル３７３における手袋有無情報の内容が間違っている場合に、その内容を修正することができる。従って、ユーザの手が手袋装着状態と、手袋非装着状態との何れの状態であるかを、よりいっそう正しく判断することができる。
【００６７】
なお、上記の実施の形態におけるリスト端末装置１の各構成要素の細部構成及び細部動作に関しては、本発明の趣旨を逸脱しない範囲で適宜変更可能であることは勿論である。
【００６８】
例えば、本発明に係るタッチパネル制御装置をリスト端末装置１として説明したが、本発明が適用可能なものは、このような製品に限定されず、携帯電話、パソコン、ＰＤＡ（Ｐｅｒｓｏｎａｌ  Ｄｉｇｉｔａｌ  Ａｓｓｉｓｔａｎｔ）、ゲーム機などの電子機器全般に適用可能であり、図１（ｂ）に示すようなタブレットパソコン１Ａに特に好適に適用される。また、本発明に係るタッチパネル制御プログラム３７１は、リスト端末装置１に対して着脱可能な外部情報記憶媒体に記憶されることとしてもよい。
【００６９】
以上、本発明のいくつかの実施形態を説明したが、本発明の範囲は、上述の実施の形態に限定するものではなく、特許請求の範囲に記載された発明の範囲とその均等の範囲を含む。
【００７０】
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
静電容量式のタッチパネルのタッチ感度モードを設定するタッチパネル制御装置において、
前記タッチパネルの外部における外部情報を取得する外部情報取得手段と、
前記外部情報取得手段により取得された前記外部情報に基づいて、ユーザの手が手袋装着状態と、手袋非装着状態との何れの状態であるかを判断する手袋有無判断手段と、
前記手袋有無判断手段による判断結果に応じて、前記タッチパネルのタッチ感度モードを、手袋装着状態に対応するタッチ感度モードと、手袋非装着状態に対応するタッチ感度モードとの何れかに設定するタッチ感度モード設定手段と、
を備えることを特徴とするタッチパネル制御装置。
＜請求項２＞
請求項１記載のタッチパネル制御装置において、
前記外部情報は、
ユーザの手の撮影画像であることを特徴とするタッチパネル制御装置。
＜請求項３＞
請求項２記載のタッチパネル制御装置において、
前記外部情報取得手段は、
他の機器との通信により前記撮影画像を取得する撮影画像受信手段を有することを特徴とするタッチパネル制御装置。
＜請求項４＞
請求項２または３記載のタッチパネル制御装置において、
前記撮影画像と、当該撮影画像が取得されたときにユーザの手が手袋装着状態及び手袋非装着状態の何れの状態であったかを示す手袋有無情報と、を対応付けて記憶する撮影画像・手袋有無情報記憶手段を備え、
前記手袋有無判断手段は、
前記撮影画像・手袋有無情報記憶手段に記憶された手袋有無情報を参照しつつ、当該手袋有無情報に対応付けられた前記撮影画像と、前記外部情報取得手段により新たに取得された前記撮影画像とを比較することで、ユーザの手が手袋装着状態と、手袋非装着状態との何れの状態であるかを判断する撮影画像利用・手袋有無判断手段と、
前記新たに取得された撮影画像と、前記撮影画像利用・手袋有無判断手段による判断結果に応じた手袋有無情報とを対応付けて前記撮影画像・手袋有無情報記憶手段に記憶させる撮影画像・手袋有無情報記憶制御手段と、
を有し、
当該タッチパネル制御装置は、
前記撮影画像・手袋有無情報記憶手段により記憶された手袋有無情報の内容を、ユーザ操作に基づいて変更する手袋有無情報変更手段を備えることを特徴とするタッチパネル制御装置。
＜請求項５＞
請求項１記載のタッチパネル制御装置において、
前記外部情報は、
当該タッチパネル制御装置の位置する地域の気候情報と、
当該タッチパネル制御装置が屋内外の何れに位置するかを示す屋内外情報と
の何れか一方であることを特徴とするタッチパネル制御装置。
＜請求項６＞
請求項５記載のタッチパネル制御装置において、
前記外部情報は、
当該タッチパネル制御装置の位置する地域の気候情報であり、
前記外部情報取得手段は、
他の機器との通信により前記気候情報を取得する気候情報受信手段を有することを特徴とするタッチパネル制御装置。
＜請求項７＞
請求項５記載のタッチパネル制御装置において、
前記外部情報は、
当該タッチパネル制御装置の位置する地域の気候情報であり、
前記外部情報取得手段は、
当該タッチパネル制御装置の外気温を前記気候情報として測定する温度測定手段を有することを特徴とするタッチパネル制御装置。
＜請求項８＞
請求項６または７記載のタッチパネル制御装置において、
前記気候情報と、当該気候情報が取得されたときにユーザの手が手袋装着状態及び手袋非装着状態の何れの状態であったかを示す手袋有無情報と、を対応付けて記憶する気候情報・手袋有無情報記憶手段を備え、
前記手袋有無判断手段は、
前記気候情報・手袋有無情報記憶手段に記憶された手袋有無情報を参照しつつ、当該手袋有無情報に対応付けられた前記気候情報と、前記外部情報取得手段により新たに取得された前記気候情報とを比較することで、ユーザの手が手袋装着状態と、手袋非装着状態との何れの状態であるかを判断する気候情報利用・手袋有無判断手段と、
前記新たに取得された気候情報と、前記気候情報利用・手袋有無判断手段による判断結果に応じた手袋有無情報とを対応付けて前記気候情報・手袋有無情報記憶手段に記憶させる気候情報・手袋有無情報記憶制御手段と、
を有し、
当該タッチパネル制御装置は、
前記気候情報・手袋有無情報記憶手段により記憶された手袋有無情報の内容を、ユーザ操作に基づいて変更する手袋有無情報変更手段を備えることを特徴とするタッチパネル制御装置。
＜請求項９＞
請求項１〜８の何れか一項に記載のタッチパネル制御装置と、
前記タッチパネルとを備えることを特徴とする電子機器。
＜請求項１０＞
静電容量式のタッチパネルのタッチ感度モードを設定するタッチパネル制御方法において、
前記タッチパネルの外部における外部情報を取得する外部情報取得ステップと、
前記外部情報取得ステップにより取得された前記外部情報に基づいて、ユーザの手が手袋装着状態と、手袋非装着状態との何れの状態であるかを判断する手袋有無判断ステップと、
前記手袋有無判断ステップによる判断結果に応じて、前記タッチパネルのタッチ感度モードを、手袋装着状態に対応するタッチ感度モードと、手袋非装着状態に対応するタッチ感度モードとの何れかに設定するタッチ感度モード設定ステップと、
を含むことを特徴とするタッチパネル制御方法。
＜請求項１１＞
静電容量式のタッチパネルを有するコンピュータに、
前記タッチパネルの外部における外部情報を取得する外部情報取得機能と、
前記外部情報取得機能により取得された前記外部情報に基づいて、ユーザの手が手袋装着状態と、手袋非装着状態との何れの状態であるかを判断する手袋有無判断機能と、
前記手袋有無判断機能による判断結果に応じて、前記タッチパネルのタッチ感度モードを、手袋装着状態に対応するタッチ感度モードと、手袋非装着状態に対応するタッチ感度モードとの何れかに設定するタッチ感度モード設定機能と、
を実現させることを特徴とするタッチパネル制御プログラム。
【符号の説明】
【００７１】
１              リスト端末装置
３４            気候情報取得センサー
３６            カメラ
３８            ＣＰＵ
３２１          タッチパネル
３７１          タッチパネル制御プログラム
３７３          外部情報・手袋有無情報対応テーブル
【図１】
2014182700.tif 000003
【図２】
2014182700.tif 000004
【図３】
2014182700.tif 000005
【図４】
2014182700.tif 000006
【図５】
2014182700.tif 000007
【図６】
2014182700.tif 000008
【図７】
2014182700.tif 000009
【図８】
2014182700.tif 000010